(57)【要約】      （修正有）【課題】簡単に設置することができ、猪や鹿の侵入を確実に阻止することができる害獣防護柵を提供すること。【解決手段】中空状に形成され、地面に立設される第１支柱１０と、第１支柱１０に上部から挿入可能に設けられ、ネット４を係止可能なネット係止部が上部に設けられた第２支柱１１と、第１支柱１０に対し第２支柱１１を所定高さ位置に支持可能な支持手段と、を備え、地面Ｇに立設した第１支柱１０に第２支柱１１を挿入し、ネット係止部にネットを係止して該第２支柱１１を上昇させた後、支持手段により第２支柱１１を第１支柱１０に対し所定高さ位置に支持可能とした。【選択図】図１
2012223102.tif 000002
【特許請求の範囲】
【請求項１】
所定の間隔をあけて地面に複数の支柱を立設し、該複数の支柱によりネットを張設可能な害獣防護柵において、
前記支柱は、
中空状に形成され、地面に立設される第１支柱と、
前記第１支柱に上部から挿入可能に設けられ、前記ネットを係止可能なネット係止部が上部に設けられた第２支柱と、
前記第１支柱に対し前記第２支柱を所定高さ位置に支持可能な支持手段と、を備え、
地面に立設した前記第１支柱に前記第２支柱を挿入し、前記ネット係止部に前記ネットを係止して該第２支柱を上昇させた後、前記支持手段により前記第２支柱を前記第１支柱に対し所定高さ位置に支持可能とした、
ことを特徴とする害獣防護柵。
【請求項２】
複数の前記支柱間に横架され、該支柱同士を連結する連結杆と、
前記第１支柱の上部に嵌挿可能に形成され、かつ、前記連結杆の端部を係止可能に形成される連結リングと、を備え、
前記支持手段は、
前記第１支柱の周面における対向位置に形成される一対の差込孔と、
前記一対の差込孔に差込可能に形成される差込部材と、から構成され、
前記連結リングは、前記差込部材により下方から受支されることで前記第１支柱の所定高さ位置に支持される、
ことを特徴とする請求項１に記載の害獣防護柵。
【請求項３】
前記連結リングは、
前記第１支柱に嵌挿されるリング部と、
前記リング部の周面に設けられる連結杆係止部と、から構成され、
前記リング部には、前記差込部材が嵌合される嵌合部が形成されている、
ことを特徴とする請求項１または２に記載の害獣防護柵。
【請求項４】
前記ネットは、
前記第１支柱に張設される第１ネット及び前記第２支柱に張設される第２ネットを含み、
前記第１ネットは、前記第２ネットよりも透過率が低い、
ことを特徴とする請求項１〜３のいずれかに記載の害獣防護柵。
【請求項５】
前記支柱とは別個に地面に立設される支持部材と、
前記ネットとは別個に設けられ、前記支柱間に張設された前記ネットの外側に前記支持部材を介して地面の上方所定高さ位置に略水平に配設される忌避ネットと、を備え、
前記忌避ネットは、少なくとも前記ネットよりも目が粗い、
ことを特徴とする請求項１〜４のいずれかに記載の害獣防護柵。
【発明の詳細な説明】
【技術分野】
【０００１】
本発明は、猪や鹿等の野生動物が農地に侵入するのを防止するための害獣防護柵に関する。
【背景技術】
【０００２】
近年、猪や鹿などの害獣が山から下りてきて農作物の被害が各地で見られているが、取り分け猪による被害が増大してきている。このような猪や鹿による被害対策の一例としては、農作物等を栽培する農地の周囲を、金網や樹脂ネット、トタン板、樹脂波板等を用いた防護柵で囲むことが一般的に行なわれていた。
【０００３】
また、所定の間隔をあけて地面に立設された複数本の支柱に、複数枚の板状部材を害獣の目線の高さまで固定し、害獣から害獣防護柵内の農作物が見えにくくするとともに、害獣の目線より上方となる板状部材が設けられなかった該支柱間には樹脂製のネットを設け、該害獣防護柵内の安全確認が視覚では出来なくても、農作物を食べようと強引に柵内に侵入してくる例えば鹿のような跳躍力のある害獣が害獣防護柵の板状部材からなる板部を乗り越えようとしても、該害獣防護柵の上方にあるネットによって害獣の侵入を防止したものがある（例えば、特許文献１参照）。
【先行技術文献】
【特許文献】
【０００４】
【特許文献１】実用新案登録第３１６１３５５公報（第３頁、第６図）
【発明の概要】
【発明が解決しようとする課題】
【０００５】
鹿の中には約２ｍの柵を飛び越える固体も存在するため、上記特許文献１に記載の防護柵で猪だけでなく鹿の侵入も防ぐためは支柱を高くする必要があるが、支柱が長くなると運搬性や取り扱いが悪くなる。また、支柱を地面に立設したり、支柱の高位置にネットを張設する設置作業を足場が悪い畑で脚立等を用いて行わなければならないため、安全性に問題があるばかりか、防護柵の設置作業が大掛かりになって各農家が個別で対応するのが困難であるという問題があった。
【０００６】
本発明は、このような問題点に着目してなされたもので、簡単に設置することができ、猪や鹿の侵入を確実に阻止することができる害獣防護柵を提供することを目的とする。
【課題を解決するための手段】
【０００７】
前記課題を解決するために、本発明の害獣防護柵は、
所定の間隔をあけて地面（Ｇ）に複数の支柱（２）を立設し、該複数の支柱によりネット（４）を張設可能な害獣防護柵（１）において、
前記支柱は、
中空状に形成され、地面に立設される第１支柱（１０）と、
前記第１支柱に上部から挿入可能に設けられ、前記ネットを係止可能なネット係止部（係止キャップ３３）が上部に設けられた第２支柱（１１）と、
前記第１支柱に対し前記第２支柱を所定高さ位置に支持可能な支持手段（差込孔１５、差込部材１６）と、を備え、
地面に立設した前記第１支柱に前記第２支柱を挿入し、前記ネット係止部に前記ネットを係止して該第２支柱を上昇させた後、前記支持手段により前記第２支柱を前記第１支柱に対し所定高さ位置に支持可能とした（図６〜図８参照）、
ことを特徴としている。
この特徴によれば、ネットを張設する支柱が第１支柱と第２支柱とからなることで、１本の長い支柱よりも運搬や取り扱いが容易になる。また、ネットが係止されて荷重がかかる第２支柱を、地面に固設された第１支柱により安定的にガイドした状態で上昇させることができるとともに、第１支柱に対し第２支柱を支持手段により所定高さ位置に支持するだけで所定長さの支柱を簡単に構成できるので、所定高さのネットを安全に、かつ、簡単に張設することができる。
【０００８】
本発明の害獣防護柵は、
複数の前記支柱（２）間に横架され、該支柱同士を連結する連結杆（３）と、
前記第１支柱（１０）の上部に嵌挿可能に形成され、かつ、前記連結杆の端部（係止フック２０の係止部２０ｂ）を係止可能に形成される連結リング（連結部材１８）と、を備え、
前記支持手段は、
前記第１支柱の周面における対向位置に形成される一対の差込孔（１５）と、
前記一対の差込孔に差込可能に形成される差込部材（１６）と、から構成され、
前記連結リングは、前記差込部材により下方から受支されることで前記第１支柱の所定高さ位置に支持される（図３参照）、
ことを特徴としている。
この特徴によれば、複数の支柱の共倒れが防止されるとともに、第２支柱を支持する差込部材に連結リング及び連結杆の荷重もかかることになるので、差込部材の抜脱が効果的に防止される。
【０００９】
本発明の害獣防護柵は、
前記連結リング（連結部材１８）は、
前記第１支柱に嵌挿されるリング部（１８ａ）と、
前記リング部の周面に設けられる連結杆係止部（１８ｂ）と、から構成され、
前記リング部には、前記差込部材が嵌合される嵌合部（切欠溝１９）が形成されている、
ことを特徴としている。
この特徴によれば、連結リングの回転が防止される。
【００１０】
本発明の害獣防護柵は、
前記ネット（４）は、
前記第１支柱（１０）に張設される第１ネット（下ネット４０）及び前記第２支柱に張設される第２ネット（上ネット４１）を含み、
前記第１ネットは、前記第２ネットよりも透過率が低い（図８参照）、
ことを特徴としている。
この特徴によれば、害獣から害獣防護柵内の農作物が見えにくくすることができるとともに、支柱上部のネットが風の影響を極力受けにくくするようにすることができる。
【００１１】
本発明の害獣防護柵は、
前記支柱（２）とは別個に地面に立設される支持部材（ペグ６１）と、
前記ネット（４，４０，４１）とは別個に設けられ、前記支柱間に張設された前記ネットの外側に前記支持部材を介して地面の上方所定高さ位置（例えば、約５〜２０ｃｍ上方の高さ位置）に略水平に配設される忌避ネット（６０）と、を備え、
前記忌避ネットは、少なくとも前記ネットよりも目が粗い（図１０（ｂ）参照）、
ことを特徴としている。
この特徴によれば、害獣防護柵に侵入しようとする害獣の脚が忌避ネットに入り込んで絡まることで忌避が促進される。また、忌避ネットは防護柵のネットとは別個に単独で配設されるので、害獣が忌避ネットに絡まり暴れることでネットや支柱が引っ張られるなどして害獣防護柵が傾倒することが防止される。
【図面の簡単な説明】
【００１２】
【図１】害獣防護柵の設置状況を示す斜視図である。
【図２】（ａ）は支柱の構成を示す斜視図、（ｂ）は係止キャップを示す断面図である。
【図３】支柱の要部拡大断面図である。
【図４】ネットに支柱を通した状態を示す正面図である。
【図５】ネットに支柱を通した状態を示す斜視図である。
【図６】（ａ）は第１支柱をネットに差し込む工程、（ｂ）は第１支柱を地面に立設する工程を示す図である。
【図７】（ｃ）は第２支柱を挿入する工程、（ｄ）は上ネットを係止する工程を示す図である。
【図８】（ｅ）は第２支柱を上昇させる工程、（ｆ）は連結杆で支柱を連結する工程を示す図である。
【図９】（ａ）は変形例としての支柱の構造を示す要部斜視図、（ｂ）は（ａ）の要部断面図である。
【図１０】（ａ）は変形例としての害獣防護柵の設置状況を示す正面図、（ｂ）は（ａ）の要部拡大斜視図である。
【発明を実施するための形態】
【００１３】
本発明に係る害獣防護柵を実施するための形態を実施例に基づいて以下に説明する。
【実施例１】
【００１４】
実施例１に係る害獣防護柵につき、図１〜図８を参照して説明する。図１は、害獣防護柵の設置状況を示す斜視図である。図２は、（ａ）は支柱の構成を示す斜視図、（ｂ）は係止キャップを示す断面図である。図３は、支柱の要部拡大断面図である。図４は、ネットに支柱を通した状態を示す正面図である。図５は、ネットに支柱を通した状態を示す斜視図である。図６は、（ａ）は第１支柱をネットに差し込む工程、（ｂ）は第１支柱を地面に立設する工程を示す図である。図７は、（ｃ）は第２支柱を挿入する工程、（ｄ）は上ネットを係止する工程を示す図である。図８は、（ｅ）は第２支柱を上昇させる工程、（ｆ）は連結杆で支柱を連結する工程を示す図である。尚、説明上、図２の左斜め下方を支柱の正面、右斜め上方を背面、左斜め上方を左側面、右斜め下方を右側面として説明する。
【００１５】
図１に示すように、害獣防護柵１は、例えば猪や鹿等の害獣による被害対策の対象となる農作物等を栽培する農地を囲むように設置される。具体的には、所定の間隔をあけて地面に立設される複数の支柱２と、複数の支柱２，２間に横架され、該支柱２，２同士を連結する連結杆３と、該複数の支柱２に張設されるネット４と、から構成される。
【００１６】
図２及び図３に示すように、支柱２は、中空状に形成され地面に立設される第１支柱１０と、第１支柱１０に上部から挿入可能に設けられる第２支柱１１と、から構成される。第１支柱１０及び第２支柱１１は例えばスチール製の管体にて構成されているとともに、第２支柱１１の外径Ｌ２は、第１支柱１０の内径Ｌ１よりも小径に形成されている（Ｌ１＞Ｌ２）。
【００１７】
また、第１支柱１０の全長Ｌ３は、例えば約１００〜１５０ｃｍの範囲内とされ、猪が飛び越えることが困難な長さとされている。また、第２支柱１１の全長Ｌ４は、例えば約１００〜１５０ｃｍの範囲内とされ、長さは種々に変更可能とされている。尚、第１支柱１０の全長Ｌ３と第２支柱１１の全長Ｌ４とは種々に変更可能であるが、好ましくは第１支柱１０は第２支柱１１よりも短寸に形成されていることが好ましく、このようにすれば、第１支柱１０を地面に打ち込んで立設する作業が容易になるとともに、鹿など跳躍力がある害獣に対しては第２支柱１１を長寸化することで対応できる。
【００１８】
第１支柱１０の下部には、下端に向けて漸次先細りに形成される縮径部１２が形成されている。下端から約４０ｃｍ程上方位置にはマーク１３が表示されており、地面に埋め込む深さを目視にて確認できるようになっている。上端縁における左右対向位置には、後述する係止キャップ３３の回転を規制するための溝状の切欠部１４がそれぞれ下方に向けて延設されている。また、上端よりも約２０〜３０ｃｍ程下方位置には、縦長長方形状の差込孔１５が前後対向位置にそれぞれ形成されている。
【００１９】
差込孔１５，１５には、差込部材１６が差し込まれるようになっている。差込部材１６は、前後の差込孔１５，１５に挿入可能な差込板１６ａと、差込板１６ａの一端に連設される上下方向を向く取手部１６ｂと、から側面視略Ｔ字形に形成された板部材からなる。また、差込板１６ａの下端辺には、抜け止め用の凸部１６ｃが形成されている。
【００２０】
尚、この凸部１６ｃの長手幅寸法Ｌ６は、第１支柱１０の内径Ｌ１よりも短寸とされるとともに（Ｌ１＞Ｌ６）、差込板１６ａにおける幅広部の上下幅寸法Ｌ５は差込孔１５の上下幅寸法Ｌ７よりも短寸とされている（Ｌ５＜Ｌ７）。よって、差込板１６ａは一方の差込孔１５の外側から挿入可能とされているとともに、前後の差込孔１５，１５に挿入された状態において、凸部１６ｃが前後の差込孔１５，１５間に配置され係止されることで、差込部材１６の逸脱が防止される。
【００２１】
第１支柱１０の下部には、平面視円形状をなす支柱固定盤１７が嵌挿されている。支柱固定盤１７は、図６（ｂ）中拡大図に示すように、周縁から中心に向けて上方に傾斜する略三角錐形状に形成され、中心には支柱挿通孔１７ａが形成されている。
【００２２】
第１支柱１０の上部には、連結杆３の端部を連結するためのスチール製の連結部材１８が挿入されるようになっている。連結部材１８は、第１支柱１０の上部に嵌挿可能な内径を有するリング部１８ａと、リング部１８ａの周面に設けられる複数の連結杆係止部１８ｂと、から構成されている。リング部１８ａの下端縁における前後対向位置には、差込板１６ａの上端に嵌合可能な前後一対の切欠溝１９が形成され、差込板１６ａの上端に切欠溝１９が嵌合されることでリング部１８ａの軸周りの回転が規制されるようになっている。
【００２３】
連結杆係止部１８ｂは、リング部１８ａよりも小径の筒体を、該リング部１８ａの外周面における左右及び後位置にそれぞれ軸心が上下方向を向くように溶接固定することで係止孔を形成している。このように連結杆係止部１８ｂが左右及び後位置に予め形成されていることで、例えば図１に示すようにコーナー以外に設置される支柱２では左右に対向配置される連結杆係止部１８ｂを使用し、コーナーに設置される支柱２では９０度の角度で隣り合う連結杆係止部１８ｂを使用すれば連結することができるため、１種類の連結部材１８を用意すれば、支柱の立設位置に関わらず使用することができる。
【００２４】
尚、連結杆係止部１８ｂが左右対向配置される並設用の第１連結部材１８と、連結杆係止部１８ｂが９０度の角度で隣接配置されるコーナー用の第２連結部材１８と、の２種類の連結部材を予め用意しておいてもよい。また、このような連結部材１８は、径の異なる別個の管体を溶接等により接続することで形成するものに限定されるものではなく、管体を押し曲げることによりリング部１８ａと連結杆係止部１８ｂとを一体形成してなるものであってもよい。
【００２５】
連結杆３は、スチール製の管体からなり、それらの長手方向の両端部には、円柱状の棒部材を略Ｌ字形に屈曲することにより形成された係止フック２０が溶着されている。係止フック２０は、詳しくは長手方向を向く基部２０ａが、連結杆３の端部周面に軸心方向を向くように溶着されるとともに、基部２０ａの先端から下方に屈曲され、連結杆３の端面から連結杆係止部１８ｂの肉厚分以上の隙間を隔てて垂下される係止部２０ｂと、から構成されている。
【００２６】
このように構成された係止フック２０は、係止部２０ｂを連結杆係止部１８ｂの係止孔に上方から挿入され、基部２０ａが連結杆係止部１８ｂの上端縁に係止されることで、連結杆３の端部が第１支柱１０に対して連結されるようになっている。
【００２７】
一方、第２支柱１１の下端縁における前後対向位置には、差込板１６ａの上端に嵌合可能な前後一対の切欠溝３１が形成されており、これにより第１支柱１０に対する第２支柱１１の軸周りの回転が規制されるようになっている。また、上端における左右対向位置には、溝状の切欠部３２がそれぞれ下方に向けて延設されている。さらに、第２支柱１１の前面における上端から約２０ｃｍ程下方位置には、規制ピン３７が突設されている。
【００２８】
第２支柱１１の上端部には、ネット４の上部を係止するための係止キャップ３３が着脱可能に嵌合されている。係止キャップ３３は、例えば合成樹脂材からなり、第２支柱１１の上端部に嵌合される筒状部３４と、筒状部３４の上面を閉塞する平板部３５と、平板部３５の左右方向に凹設される凹溝部３６と、から構成されている。平板部３５は、筒状部３４の周面よりも外側に突出する大きさを有している。また、凹溝部３６は、後述するネット４の紐を挿通可能な幅寸法を有し、この凹溝部３６を介して筒状部３４の前半分または後半分に紐を巻回できるようになっているとともに、巻回された紐の上方への逸脱が突出した平板部３５により規制されるようになっている（図２（ｂ）参照）。
【００２９】
図１に示すように、ネット４は、第１支柱１０に張設される下ネット４０と、第２支柱１１に張設される上ネット４１と、から構成されてなる。尚、本実施例では、これら下ネット４０と上ネット４１とは別個に構成されていたが、一体に構成されていてもよい。また、対象となる害獣の種類によっては、下ネット４０を第１，２支柱１０，１１双方を利用して上下に張設してもよいし、下ネット４０よりも目の粗い上ネット４１を第１，２支柱１０，１１双方を利用して上下に張設してもよい。
【００３０】
図４及び図５に示すように、下ネット４０は、約１０〜１５ｃｍの上下幅寸法Ｌ９をなす横長の目隠し部４２が、約１０ｍｍ程の上下幅寸法Ｌ１０を有する横長のスリット孔４３を挟んで上下方向に複数段設けられてなる。スリット孔４３の左右幅Ｌ８は、直径Ｌ１’の第１支柱１０の円周長さの半分（Ｌ８＝Ｌ１’×π／２）の数値にクリアランス寸法（例えば、約２ｃｍ）を加算した寸法とされている。よって、上下方向に並設される複数段の目隠し部４２を上下方向に向けて前後に交互にずらして第１支柱１０の挿通部を形成することで、下ネット４０を第１支柱１０に上下方向に挿通できるようになっている。
【００３１】
このように下ネット４０は、比較的目が細かく、透過率が小さくなるように形成されているため、下ネット４０を透して目視することは困難とされているとともに、スリット孔４３により最低限の通気性が確保されている。また、下ネット４０の上部には、下係止紐４４が複数の下支持片４５を介して下ネット４０の長手方向に沿うように配設されている。
【００３２】
上ネット４１は、下ネット４０よりも目が粗い、つまり下ネット４０よりも透過性が高い網目からなるネットにて構成されており、上部には、上係止紐５４が複数の上支持片５５を介して下ネット４０の長手方向に沿うように配設されている（図７（ｄ）参照）。
【００３３】
次に、害獣防護柵１の形成工程について、図６〜図８にもとづいて説明する。
【００３４】
（１）まず、特に図示はしないが、農地において保護の対象となる農作物を囲むように、複数の支柱固定盤１７を所定間隔おき（例えば、２メートル間隔）に配置しておく。
【００３５】
（２）下ネット４０の長手方向に、支柱固定盤１７の配置間隔に合わせて複数本の第１支柱１０を挿通しておく（図６（ａ）参照）。
【００３６】
（３）下ネット４０に挿通した第１支柱１０の縮径部を、農地に配置した各支柱固定盤１７の支柱挿通孔１７ａに上方から差し込み、ハンマーや金槌等で約４０ｃｍ程度地面に打ち込む（図６（ｂ）参照）。このとき、支柱固定盤１７の上端部にマーク１３が位置する程度に打ち込むことで、各第１支柱１０の打ち込み深さをほぼ同一とすることができるので、高さ位置を均一にすることができる。また、支柱固定盤１７の上面を足で踏みつけることで、第１支柱１０の周囲近傍の土が、支柱固定盤１７の傾斜面にて第１支柱１０側に寄せられるように固まる。よって、例えば畑等の地表が柔らかい場所でも、第１支柱１０を安定的に、かつ、地面Ｇに対して垂直に立設することが可能となる。
【００３７】
（４）立設された第１支柱１０の上端から、連結部材１８のリング部１８ａを嵌挿するとともに、第２支柱１１を、第１支柱１０の上端開口から内部に挿入する。挿入された第２支柱１１は、第１支柱１０の上端に規制ピン３７が係止されることにより、第１支柱１０内に第２支柱１１が完全に入り込んでしまうことなく、少なくとも第１支柱１０の上端開口から第２支柱１１の上部が露呈された状態で維持される（図７（ｃ）参照）。
【００３８】
（５）各第２支柱１１の上端に嵌合された係止キャップ３３に、上ネット４１の上係止紐５４を巻回して係止させる。そして、上係止紐５４が係止された第２支柱１１を、第１支柱１０に対して上昇させる（図７（ｄ）参照）。
【００３９】
（６）第１支柱１０に対して第２支柱１１が所定高さ位置まで上昇されたとき、具体的には、第１支柱１０の下端が差込孔１５の上方位置まで上昇されたときに、連結部材１８を差込孔１５よりも上方位置に押し上げながら、正面側の差込孔１５から差込部材１６を差し込む（図８（ｅ）参照）。これにより、図３に示すように、差込板１６ａの上端に切欠溝３１が嵌合され、第１支柱１０に対して、第２支柱１１が所定高さ位置にて、軸心周りに回転不能に支持されるため、各第２支柱１１に上係止紐５４を介して係止された上ネット４１が、下ネット４０の上方位置に張設される。
また、第２支柱１１の荷重が差込部材１６にかかることで、凸部１６ｃが差込孔１５の下縁に係止され、差込部材１６の差込孔１５からの逸脱が規制される。さらに、差込板１６ａの上端に切欠溝１９が嵌合されることで、第１支柱１０の外周上部に、連結部材１８が所定高さ位置にて軸心周りに回転不能に支持される。
【００４０】
（７）最後に、各第１支柱１０の上部に支持された連結部材１８の連結杆係止部１８ｂに、連結杆３の両端に設けられた係止フック２０を差し込むことで、各第１支柱１０の上部間に連結杆３が横架され、各第１支柱１０が連結杆３を介して四角枠状に連結されるため、各第１支柱１０の共倒れが防止される（図８（ｆ）参照）。
【００４１】
さらに、下ネット４０の下係止紐４４を、各第１支柱１０の差込部材１６の取手部１６ｂや連結部材１８に係止させたり、上ネット４１の下端に結び付けるなどして、上ネット４１の下方位置に張設することができる。また、図１に示すように、下ネット４０の下部の余剰部を外側に折り出してその上からペグ等を打ち込んで固定することにより、猪等が下ネット４０と地面Ｇとの間を掘り起こして侵入することが防止される。
【００４２】
以上説明したように、本発明の実施例としての害獣防護柵１にあっては、ネット４を張設する支柱２が第１支柱１０と第２支柱１１とからなることで、１本の長い支柱よりも運搬や取り扱いが容易になる。また、ネット４が係止されて荷重がかかる第２支柱１１を、地面Ｇに固設された第１支柱１０により安定的にガイドした状態で上昇させることができるとともに、第１支柱１０に対し第２支柱１１を支持手段である差込部材１６により所定高さ位置に支持するだけで所定長さの支柱２を簡単に構成できるので、所定高さのネット４を安全に、かつ、簡単に張設することができる。
【００４３】
また、支柱２が第１支柱１０と第２支柱１１とからなることで、例えば冬期など作付けしない期間において、害獣防護柵１を地面Ｇに打ち込まれた第１支柱１０を取り外すことなく、第２支柱１１だけを第１支柱１０から抜き出して下ネット４０、上ネット４１等を取り外しておけば、短寸の第１支柱１０だけなら風等の影響を受けにくく傾倒する恐れもないので、害獣防護柵１を全て撤去したり設置する作業を繰り返す手間が効果的に軽減される。
【００４４】
また、支柱２が第１支柱１０と第２支柱１１とからなることで、例えば被害が猪やアライグマによるものであり、鹿等の跳躍力がある害獣による被害がない場合には、第１支柱１０及び下ネット４０’のみで低高さ（例えば、約１００〜１５０ｃｍ）の防護柵１を構成することが可能であるため、害獣の種類に対応して、高さの異なる支柱２を立設することができる。
【００４５】
具体的には、図１０に示すように、第１支柱１０の上端に係止キャップ３３を装着し、下ネット４０’のみを上記したように張設すればよい。また、前記実施例では、下ネット４０の風通しを向上させるために、第１支柱１０を挿通する箇所だけでなく、各支柱２，２間にもスリット孔４３が左右方向に複数形成されていたが、例えばネットが十分な通気性を有していれば、必ずしも各支柱２，２間にスリット孔４３を形成しなくてもよい（図１０参照）。
【００４６】
また、前記実施例では、下ネット４０の下部の余剰部を外側に折り出してその上からペグ等を打ち込んで固定することにより、猪等が下ネット４０と地面Ｇとの間を掘り起こして侵入することを防止していたが、例えば図１０に示すように、下ネット４０の下部の余剰部４０ａから約５〜２０ｃｍ程上方の高さ位置、つまり少なくとも第１支柱１０の上端よりも下方位置に、平面視横長帯状の忌避ネット６０を略水平に張設することで、該忌避ネット６０に侵入しようとする害獣の足を絡ませて忌避を促進するようにしてもよい。
【００４７】
このような忌避ネット６０として、例えば約８〜２０ｃｍ角の目の粗いネットを使用することで、猪等の害獣の脚が目の中に挿入されやすくなり、これに害獣が気が付かずに歩き続けようとすることで忌避ネット６０に絡まりやすくなる。すなわち、忌避ネット６０は、少なくとも害獣の侵入を防止する目的である下ネット４０’や上ネット４０等のネット４よりも目が粗いことが好ましい。
【００４８】
また、忌避ネット６０は、下ネット４０’とは別個に構成され、かつ、該下ネット４０’や第１支柱１０を利用して張設することなく、単独で張設することが好ましく、このようにしておくことで、害獣が忌避ネット６０に絡まって暴れても、それにより下ネット４０’や第１支柱１０が引っ張られるなどして負荷がかかり、ネット４０，４１や支柱２を傾倒することが防止される。
【００４９】
また、忌避ネット６０を所定高さ位置に張設する方法としては、余剰部４０ａを固定するためのペグ６１を長寸として共用し、その上部に忌避ネット６０を係止して張設してもよいし、余剰部４０ａを固定するペグとは別個のペグで張設してもよい。あるいは、ペグ６１以外の支持部材（例えば短寸の支柱や棒材等でもよい）を利用して張設してもよい。
【００５０】
また、忌避ネット６０は、害獣防護柵１内に侵入しようとする猪等の害獣の脚が目の中に挿入されやすい目の粗さを有するネットであれば、合成樹脂製の線材からなる網状部材であってもよいし、あるいは金属製の線材からなる網状部材であってもよく、材質は限定されるものではない。
【００５１】
また、忌避ネット６０のように合成樹脂製線材からなる網状部材の場合、ネットは変形可能であるため、害獣が忌避ネット６０を足場にして下ネット４０’を乗り越えてしまうことがない。一方、金属製線材からなるネットの場合、ネットが変形しないので張設する必要がないので、配設作業が容易になる。
【００５２】
また、複数の前記支柱２間に横架され、該支柱２同士を連結する連結杆３と、第１支柱１０の上部に嵌挿可能に形成され、かつ、連結杆３の係止部２０ｂを係止可能に形成される連結部材１８と、を備え、第１支柱１０の周面における対向位置に形成される一対の差込孔１５と、一対の差込孔１５に差込可能に形成される差込部材１６と、から構成され、連結部材１８は、差込部材１６により下方から受支されることで第１支柱１０の所定高さ位置に支持されることで、複数の支柱２の共倒れが防止されるとともに、第２支柱１１を支持する差込部材１６に連結部材１８及び連結杆３の荷重もかかることになるので、差込部材１６の抜脱が効果的に防止される。
【００５３】
このように、連結部材１８を、第２支柱１１を第１支柱１０に対し所定高さ位置に支持する支持部材としての差込部材１６にて支持することで、第２支柱１１及び連結杆３双方の荷重を利用して差込部材１６の抜け止め効果を向上させることができるばかりか、連結部材１８の支持部と第２支柱１１の支持部とを別個に設けなくて済むため、構造を簡素化して製造コストを低減することができる。
【００５４】
また、本実施例では、第１支柱１０に対し第２支柱１１を所定高さ位置に支持する支持手段として、第１支柱１０を貫通するように差し込まれ、第２支柱１１の下端を下方から受支する差込部材１６としていたが、例えば第２支柱１１の下部周面に上下方向に向けて複数の差込孔（図示略）を形成し、いずれかの高さの差込孔に差込部材１６を差し込むことで、第１支柱１０に対し第２支柱１１を複数の高さ位置のうちからいずれかを選択して支持できるようにしてもよい。また、第１支柱１０に螺入された蝶ネジを第２支柱１１の周面に圧接させることで第２支柱１１を支持するようにしてもよい。
【００５５】
また、ネット４は、第１支柱１０に張設される下ネット４０及び第２支柱１１に張設される上ネット４１を含み、下ネット４０は、上ネット４１よりも透過率が低いことで、害獣から害獣防護柵１内の農作物が見えにくくすることができるとともに、支柱２上部のネットが風の影響を極力受けにくくするようにすることができるため、風による支柱２の共倒れが防止される。
【００５６】
また、本実施例では、第２支柱１１の上部に嵌合された係止キャップ３３に上係止紐５４を係止することで、上ネット４１を各第２支柱１１の上端に係止できるようになっていたが、例えば規制ピン３７に係止してもよいし、あるいは別個の係止部に係止するようにしてもよい。
【００５７】
また、本実施例では、連結部材１８は、リング部１８ａと連結杆係止部１８ｂとから構成されていたが、例えば図９に示すように、上方に向けて漸次拡径する筒体１８’のみから構成されていてもよい。つまり、リング部が連結杆係止部を兼ねていてもよい。この場合、連結杆３の係止フック２０’が筒体１８’の上方から筒体１８’と第１支柱１０の該周面との間に差し込まれ、該係止フック２０’の先端が縮径部内に嵌り込むことで連結部材１８’が所定高さ位置に保持される。
【００５８】
また、前記実施例の差込部材１６は、下端辺に凸部１６ｃが形成されているだけであったが、差込部材１６’のように、複数の凸部１６ｄが長手方向に向けて複数箇所に形成されていてもよい。
【００５９】
以上、本発明の実施例を図面により説明してきたが、具体的な構成はこれら実施例に限られるものではなく、本発明の要旨を逸脱しない範囲における変更や追加があっても本発明に含まれる。
【００６０】
例えば、前記実施例では、複数の支柱２は所定の農作物を囲むように立設されていたが、農地全体を囲むように農地の外に立設されていてもよい。
【００６１】
また、前記実施例では平面視四角形状をなすように複数の支柱２が配置されていたが、平面視三角形状や円形状をなすように配置されてもよく、支柱２の配置形態は種々に変更可能である。
【符号の説明】
【００６２】
１                害獣防護柵
２                支柱
３                連結杆
４                ネット
１０              第１支柱
１１              第２支柱
１５              差込孔
１６              差込部材
１６ａ            差込板
１６ｂ            取手部
１６ｃ            凸部
１８              連結部材
１８ａ            リング部
１８ｂ            連結杆係止部
２０              係止フック
３３              係止キャップ
４０              下ネット
４１              上ネット
【図１】
2012223102.tif 000003
【図２】
2012223102.tif 000004
【図３】
2012223102.tif 000005
【図４】
2012223102.tif 000006
【図５】
2012223102.tif 000007
【図６】
2012223102.tif 000008
【図７】
2012223102.tif 000009
【図８】
2012223102.tif 000010
【図９】
2012223102.tif 000011
【図１０】
2012223102.tif 000012